【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
上位装置の閲覧プログラムからネットワークを経由して受信した印刷データに基づいて印刷処理を行う印刷装置であって、
前記ネットワークを経由して前記上位装置と通信を行う通信部と、
前記上位装置の要求した要求印刷フォームの情報が格納されているファイルから、前記要求印刷フォームに応答する応答印刷フォームを抽出し、該応答印刷フォームを前記通信部へ転送する印刷フォーム管理部と、
前記要求印刷フォームに広告印刷の要求情報があると指定された広告ファイルを取得して印刷イメージに埋め込み、印刷エンジンに広告印刷を実行させる広告処理部と、
前記広告ファイルから取得した広告の種類及び広告サイズの少なくとも一方に基づいて印刷料金の割引額を計算する料金情報管理部と、
を含むことを特徴とする印刷装置。
【請求項２】
前記広告の種類及び前記広告サイズに対応させた広告ファイルの情報が格納されている広告データベースと、
前記広告の種類及び前記広告サイズに対応した値引額が格納されている料金データベースとを更に備え、
前記料金情報管理部は、前記広告データベース及び前記料金データベースにアクセスして、広告及び料金に関する情報を取得して前記印刷フォーム管理部へ通知する、ことを特徴とする請求項１に記載の印刷装置。
【請求項３】
前記料金情報管理部は、前記料金に関する情報として値引額を示す値引額情報を前記上位装置で予め表示されるべく前記印刷フォーム管理部へ通知することを特徴とする請求項２に記載の印刷装置。
【請求項４】
上位装置の閲覧プログラムからネットワークを経由して受信したデータに基づいて印刷処理を行う印刷装置であって、
前記ネットワークを経由して前記上位装置と通信を行う通信部と、
前記上位装置の要求した要求印刷フォームの情報が格納されているファイルから、前記要求印刷フォームに応答する応答印刷フォームを抽出し、該応答印刷フォームを前記通信部へ転送する印刷フォーム管理部と、
前記上位装置が前記通信部から受信した応答印刷フォームに対して前記閲覧プログラム上で印刷情報を入力して作成した実行印刷フォーム、及び前記上位装置から取得した印刷データを解析し、印刷指定区分及び印刷イメージを作成するエミュレーション部と、
前記エミュレーション部が作成した印刷指定区分及び印刷イメージに基づいて印刷処理を実行する印刷エンジンと、
を備えることを特徴とする印刷装置。
【請求項５】
前記エミュレーション部が作成する印刷指定区分は、片面印刷または両面印刷の指定区分、印刷ページ範囲の指定区分の少なくとも一つであることを特徴とする請求項４に記載の印刷装置。
【請求項６】
前記応答印刷フォームは、ネットワークに接続されたサーバが所有するフォームデータベースのファイルに格納されていることを特徴とする請求項１又は請求項４の何れかに記載の印刷装置。
【請求項７】
上位装置がインターネット上の情報を閲覧する閲覧プログラムからネットワークを経由してデータを送信し、印刷装置が前記データに基づいて印刷処理を実行する印刷システムであって、
前記上位装置は、前記印刷装置を制御するための付加情報を設定する設定プログラムを備え、
前記閲覧プログラムが、前記設定プログラムへアクセスするためのアドレスを入力したとき、該閲覧プログラムは、前記印刷装置から印刷情報を読み込んで前記設定プログラムを実行し、
前記設定プログラムが、前記上位装置の画像データを読み込んで印刷装置設定情報を付加し、所望の印刷データを前記印刷装置へ送信して印刷処理を実行させることを特徴とする印刷システム。
【請求項８】
前記設定プログラムは、識別名が入力されたとき、その識別名に対応する画像データを読み込んで前記印刷装置設定情報を付加し、所望の印刷データを前記印刷装置へ送信することを特徴とする請求項７に記載の印刷システム。
【手続補正２】
【補正対象書類名】明細書
【補正対象項目名】０００６
【補正方法】変更
【補正の内容】
【０００６】
本発明は、  上位装置の閲覧プログラムからネットワークを経由して受信した印刷データに基づいて印刷処理を行う印刷装置であって、前記ネットワークを経由して前記上位装置と通信を行う通信部と、前記上位装置の要求した要求印刷フォームの情報が格納されているファイルから、前記要求印刷フォームに応答する応答印刷フォームを抽出し、該応答印刷フォームを前記通信部へ転送する印刷フォーム管理部と、前記要求印刷フォームに広告印刷の要求情報があると指定された広告ファイルを取得して印刷イメージに埋め込み、印刷エンジンに広告印刷を実行させる広告処理部と、前記広告ファイルから取得した広告の種類及び広告サイズの少なくとも一方に基づいて印刷料金の割引額を計算する料金情報管理部とを含むことを特徴とする。
他の発明は、請求項４に記載の発明であり、上位装置の閲覧プログラムからネットワークを経由して受信したデータに基づいて印刷処理を行う印刷装置であって、ネットワークを経由して上位装置と通信を行う通信部と、上位装置の要求した要求印刷フォームの情報が格納されているファイルから、要求印刷フォームに応答する応答印刷フォームを抽出し、その応答印刷フォームを通信部へ転送する印刷フォーム管理部と、上位装置が通信部から受信した応答印刷フォームに対して閲覧プログラム上で印刷情報を入力して作成した実行印刷フォーム、及び上位装置から取得した印刷データを解析し、印刷指定区分及び印刷イメージを作成するエミュレーション部と、エミュレーション部が作成した印刷指定区分及び印刷イメージに基づいて印刷処理を実行する印刷エンジンとを備えることを特徴とする。
【手続補正３】
【補正対象書類名】明細書
【補正対象項目名】０００８
【補正方法】変更
【補正の内容】
【０００８】
また、請求項５に記載の発明は、エミュレーション部が作成する印刷指定区分は、片面印刷または両面印刷の指定区分、印刷ページ範囲の指定区分の少なくとも一つであることを特徴とする。本発明の印刷装置によれば、上位装置の応答印刷フォームの画面により、印刷指定区分として、片面印刷、両面印刷、あるいは印刷ページ範囲の何れかを指定したり、あるいは片面印刷と印刷ページ範囲を複合的に指定して実行印刷フォームを作成し、実行ボタンを押せば、印刷装置はそれに対応した印刷を行うことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項６に記載の発明においては、応答印刷フォームは、ネットワークに接続されたサーバが所有するフォームデータベースのファイルに格納されていることを特徴とする。本発明の印刷装置によれば、印刷を行うときに用いる印刷フォームを格納するフォームデータベースをネットワーク上のサーバに設けることによって、複数の印刷装置で印刷フォーム共有したり、１つの印刷フォームを更新することによって複数の印刷装置の印刷フォームを一括して更新することができる。
【手続補正７】
【補正対象書類名】明細書
【補正対象項目名】００１２
【補正方法】変更
【補正の内容】
【００１２】
また、請求項７に記載の発明は、上位装置がインターネット上の情報を閲覧する閲覧プログラムからネットワークを経由してデータを送信し、印刷装置がそのデータに基づいて印刷処理を実行する印刷システムであって、上位装置は、印刷装置を制御するための付加情報を設定する設定プログラムを備え、閲覧プログラムが設定プログラムへアクセスするためのアドレスを入力したとき、閲覧プログラムは印刷装置から印刷情報を読み込んで設定プログラムを実行し、設定プログラムが、上位装置の画像データを読み込んで印刷装置設定情報を付加し、所望の印刷データを印刷装置へ送信して印刷処理を実行させることを特徴とする。本発明の印刷システムによれば、ネットワーク経由のドライバレス印刷を行う場合、各ＯＳに標準添付のブラウザソフトウェアを使用して印刷を行うことができる。なお、閲覧プログラムとは、インターネット上の情報を閲覧する場合に使用するブラウザソフトウェアである。
【手続補正８】
【補正対象書類名】明細書
【補正対象項目名】００１３
【補正方法】変更
【補正の内容】
【００１３】
また、請求項７に記載の発明は、前記設定プログラムは、識別名が入力されたとき、その識別名に対応する画像データを読み込んで印刷装置設定情報を付加し、所望の印刷データを印刷装置へ送信することを特徴とする。本発明の印刷システムによれば、識別名を入力してその識別名に対応する画像データを印刷することによって、機密情報の印刷や特定の管理者のみに許可する印刷などを行うことができる。